【手続補正書】
【提出日】平成23年3月10日(2011.3.10)
【手続補正１】
【補正対象書類名】特許請求の範囲
【補正対象項目名】請求項２
【補正方法】変更
【補正の内容】
【請求項２】
前記電圧印加回路より前記接点に前記検出用電圧を印加した後、前記データ線の一端と前記電圧印加回路との接続を遮断して、前記データ線をハイインピーダンス状態に設定する接続切換回路を有し、
前記第１の特性パラメータ取得回路は、前記接続切換回路が前記データ線をハイインピーダンス状態にした後、複数の異なる時間が経過した時点の前記データ線の一端の複数の電圧を検出電圧として取得し、該検出電圧に基づいて前記第１及び第２の特性パラメータを取得することを特徴とする請求項１記載の画素駆動装置。
【手続補正２】
【補正対象書類名】特許請求の範囲
【補正対象項目名】請求項１０
【補正方法】変更
【補正の内容】
【請求項１０】
前記電圧印加回路より前記各画素の前記接点に前記検出用電圧を印加した後、前記各データ線の一端と前記電圧印加回路との接続を遮断して、前記各データ線をハイインピーダンス状態に設定する接続切換回路を有し、
前記第１の特性パラメータ取得回路は、前記接続切換回路が前記各データ線をハイインピーダンス状態にした後、複数の異なる時間が経過した時点の前記各データ線の一端の複数の電圧を検出電圧として取得し、該検出電圧に基づいて前記第１及び第２の特性パラメータを取得することを特徴とすることを特徴とする請求項７乃至９のいずれかに記載の発光装置。
【手続補正３】
【補正対象書類名】明細書
【補正対象項目名】００１１
【補正方法】変更
【補正の内容】
【００１１】
請求項２記載の発明は、請求項１記載の画素駆動装置において、前記電圧印加回路より前記接点に前記検出用電圧を印加した後、前記データ線の一端と前記電圧印加回路との接続を遮断して、前記データ線をハイインピーダンス状態に設定する接続切換回路を有し、前記第１の特性パラメータ取得回路は、前記接続切換回路が前記データ線をハイインピーダンス状態にした後、複数の異なる時間が経過した時点の前記データ線の一端の複数の電圧を検出電圧として取得し、該検出電圧に基づいて前記第１及び第２の特性パラメータを取得することを特徴とする。
請求項３記載の発明は、請求項１又は２記載の画素駆動装置において、前記第１及び第２の特性パラメータ取得回路は、単一の演算処理回路により構成されていることを特徴とする。
請求項４記載の発明は、請求項１乃至３のいずれかに記載の画素駆動装置において、前記第１の特性パラメータ取得回路は、前記第２の特性パラメータと前記第３の特性パラメータを関連付けた第４の特性パラメータを取得することを特徴とする。
請求項５記載の発明は、請求項４記載の画素駆動装置において、外部から供給される画像表示用の画像データに対して、前記第１乃至第４の特性パラメータ、並びに、前記画素に固有のパラメータに基づく補正を行う画像データ補正回路を有し、前記電圧印加回路は、前記画像データ補正回路により補正された前記画像表示用の画像データに応じた画像表示用の階調電圧を、前記データ線を介して前記画素に印加することを特徴とする。
請求項６記載の発明は、請求項４又は５記載の画素駆動装置において、前記第１乃至第４の特性パラメータを、前記各画素に関連付けて記憶する記憶回路を、さらに具備することを特徴とする。
【手続補正４】
【補正対象書類名】明細書
【補正対象項目名】００１３
【補正方法】変更
【補正の内容】
【００１３】
請求項８記載の発明は、請求項７記載の発光装置において、前記発光パネルは、第１の方向に配設された前記複数のデータ線と、前記第１の方向に直交する第２の方向に配設された複数の走査線と、前記走査線と前記データ線の各交点近傍に配置された前記複数の画素と、を有し、前記駆動回路は、前記各走査線に選択信号を順次印加して、各行の前記各画素を選択状態に設定する走査駆動回路を有し、前記電圧印加回路は、前記選択状態に設定された行の前記各画素の前記接点に対して、前記各データ線を介して前記検出用電圧を印加することを特徴とする。
請求項９記載の発明は、請求項７又は８記載の発光装置において、前記各画素の前記発光駆動回路は、少なくとも、電流路の一端側に所定の電源電圧が印加され、該電流路の他端側が前記接点に接続された第１のトランジスタと、制御端子が前記走査線に接続され、電流路の一端側が前記第１のトランジスタの前記電流路の一端側に接続され、該電流路の他端側が前記第１のトランジスタの制御端子に接続された第２のトランジスタと、を備え、前記駆動制御素子は前記第１のトランジスタであり、前記各画素は、前記選択状態において、前記第２のトランジスタの電流路が導通して、前記第１のトランジスタの前記電流路の一端側と前記制御端子が接続され、前記選択状態に設定された行の前記各画素の前記接点に、前記電圧印加回路から前記検出用電圧が前記各データ線を介して印加されることを特徴とする。
請求項１０記載の発明は、請求項７乃至９のいずれかに記載の発光装置において、前記電圧印加回路より前記各画素の前記接点に前記検出用電圧を印加した後、前記各データ線の一端と前記電圧印加回路との接続を遮断して、前記各データ線をハイインピーダンス状態に設定する接続切換回路を有し、前記第１の特性パラメータ取得回路は、前記接続切換回路が前記各データ線をハイインピーダンス状態にした後、複数の異なる時間が経過した時点の前記各データ線の一端の複数の電圧を検出電圧として取得し、該検出電圧に基づいて前記第１及び第２の特性パラメータを取得することを特徴とすることを特徴とする。
請求項１１記載の発明は、請求項７乃至１０のいずれかに記載の発光装置において、前記第１及び第２の特性パラメータ取得回路は、単一の演算処理回路により構成されていることを特徴とする。
請求項１２記載の発明は、請求項７乃至１１のいずれかに記載の発光装置において、前記第１の特性パラメータ取得回路は、前記第２の特性パラメータと前記第３の特性パラメータを関連付けた第４の特性パラメータを取得することを特徴とする。
請求項１３記載の発明は、請求項１２記載の発光装置において、外部から供給される画像表示用の画像データに対して、前記第１乃至第４の特性パラメータ、並びに、前記各画素に固有のパラメータに基づく補正を行う画像データ補正回路を有し、前記電圧印加回路は、前記画像データ補正回路により補正された前記画像表示用の画像データに応じた画像表示用の階調電圧を、前記データ線を介して前記各画素に印加することを特徴とする。
請求項１４記載の発明は、請求項１２又は１３記載の発光装置において、前記第１乃至第４の特性パラメータを、前記各画素に関連付けて記憶する記憶回路を、さらに具備することを特徴とする。
請求項１５記載の発明に係る電子機器は、請求項７乃至１４のいずれかに記載の発光装置が実装されてなることを特徴とする。
【手続補正５】
【補正対象書類名】明細書
【補正対象項目名】０１４０
【補正方法】変更
【補正の内容】
【０１４０】
ここで、有機ＥＬ素子ＯＥＬの発光電流効率をηとした場合、η＝（輝度）÷（電流密度）と表すことができるので、各画素ＰＩＸに流れる発光駆動電流の電流値が一定であれば、表示パネル１１０内の発光輝度Ｌｖのばらつきは、すなわち発光電流効率ηのばらつきとみなすことができる。そして、発光輝度Ｌｖ及び発光電流効率ηの所望の設定値を、それぞれＬｖtyp及びηtypとすると、表示パネル１１０内の各画素ＰＩＸの発光輝度Ｌｖのばらつきを補正するための乗算補正値ΔＬｖ、すなわち、発光電流効率ηのばらつきを補正するためのデジタルデータ（補正データ；第３の特性パラメータ）Δηは、ばらつきの２乗項を無視すれば、次の（２５）式のように定義することができる。したがって、上述したように各画素ＰＩＸについて測定された発光輝度Ｌｖに基づいて、発光電流効率ηの補正データΔηを求めることができる。ここで、（２５）式に示す発光輝度Ｌｖのばらつきを補正するための補正データΔηの演算処理は、上記（２１）式に示した電流増幅率βのばらつきを補正するための補正データΔβの演算処理と同一のシーケンスにより実行される。
【手続補正６】
【補正対象書類名】図面
【補正対象項目名】図８
【補正方法】変更
【補正の内容】
【図８】
2011017967.tif 000001
【手続補正７】
【補正対象書類名】図面
【補正対象項目名】図１９
【補正方法】変更
【補正の内容】
【図１９】
2011017967.tif 000002
【手続補正８】
【補正対象書類名】図面
【補正対象項目名】図２４
【補正方法】変更
【補正の内容】
【図２４】
2011017967.tif 000003